(57)【要約】      （修正有）【課題】下型の案内面側の空間が狭い場合でも、補助案内部材の取付け作業や補助案内部材の破損時等における別の補助案内部材との交換作業等を容易に行うことを可能にするブランク型を提供する。【解決手段】下型２１に穿設された取付け溝２５内に該下型２１の少なくとも下面２６側から着脱可能に嵌合され、且つ該下面２６側から止め具２７で固定されると共に、表面が前記下型２１の案内面２２と同一面又は該案内面２２より内側に配置され、且つ上下方向に案内溝を備えた固定片５２と、前記固定片５２の案内溝及び前記下型２１に前記案内溝に連通して穿設された案内凹部２８に、上下方向に所定範囲内で摺動自在に、且つ自重で前記下型２１の下面２６から垂下自在に嵌合されると共に、表面が前記下型２１の案内面２２と同一面に配置された可動案内片５６とからとから構成される。【選択図】図１
0003163397.tif 000002
【実用新案登録請求の範囲】
【請求項１】
原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型であって、前記下型に、その案内面に沿って落下する製品をさらに下方の製品受け台の積載位置まで案内するための補助案内部材を付設したブランク型において、
前記補助案内部材が、前記下型に穿設された取付け溝内に該下型の少なくとも下面側から着脱可能に嵌合され、且つ該下面側から止め具で固定されると共に、表面が前記下型の案内面と同一面又は該案内面より内側に配置され、且つ上下方向に案内溝を備えた固定片と、前記固定片の案内溝及び前記下型に前記案内溝に連通して穿設された案内凹部に、上下方向に所定範囲内で摺動自在に、且つ自重で前記下型の下面から垂下自在に嵌合されると共に、表面が前記下型の案内面と同一面に配置された可動案内片とからなることを特徴とするブランク型。
【請求項２】
原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の下型に、その案内面に沿って落下する製品をさらに下方の製品受け台の積載位置まで案内するために付設する補助案内部材において、
前記下型に穿設された取付け溝内に該下型の少なくとも下面側から着脱可能に嵌合され、且つ該下面側から止め具で固定されると共に、表面が前記下型の案内面と同一面又は該案内面より内側に配置され、且つ上下方向に案内溝を備えた固定片と、前記固定片の案内溝及び前記下型に前記案内溝に連通して穿設された案内凹部に、上下方向に所定範囲内で摺動自在に、且つ自重で前記下型の下面から垂下自在に嵌合されると共に、表面が前記下型の案内面と同一面に配置された可動案内片とからなることを特徴とする補助案内部材。
【考案の詳細な説明】
【技術分野】
【０００１】
本考案は、例えば厚紙等の原料シートから、所要形状の紙器等を製造するべく、その展開寸法の製品（ブランク）を打ち抜くに際して、型抜きのための抜き型の下流側に、製品の切断分離のために配置されるブランク型及びそれに用いる補助案内部材に関する。
【背景技術】
【０００２】
前記ブランク型として、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたものが周知である（特許文献１及び２参照）。
【０００３】
前記ブランク型における前記下型の案内面に沿って略水平姿勢で落下する製品は、通常、下方の製品受け台の積載位置上に順次積載され、下流の加工工程へと供給される。そして、製品を前記下流の加工工程へと順次円滑に供給するためには、前記下型の案内面に沿って落下する製品が製品受け台の積載位置上に正確に積載されることが必要とされる。
【０００４】
前記問題を解消するべく、前記下型の案内面に沿って落下する製品をさらに下方の製品受け台の積載位置まで案内するために、前記下型に補助案内部材を付設することが知られ、該補助案内部材として、前記下型に固定されると共に、表面が前記下型の案内面と同一面に配置された固定片と、前記固定片に自重で垂下自在に滑合されると共に、表面が前記固定片の表面と同一面に配置された可動案内片とからなるものが報告されている（特許文献２参照）。
【０００５】
しかしながら、固定片に可動案内片を自重で垂下自在に滑合させてなる前記従来技術の補助案内部材では、前記固定片が下型にその案内面側からネジで固定されるので、前記下型の案内面側の空間が狭い場合は補助案内部材の取付け作業や補助案内部材の破損時等における別の補助案内部材との交換作業等に困難を来たす等の問題があった。
【０００６】
また、前記従来技術の補助案内部材では、可動案内片が固定片のみに摺動自在に嵌合されているため、固定片も可動案内片と略同等の長さを要し、両部材相互の摺接部分が比較的長くなり、該摺接部分の僅かの変形や該摺接部分への異物の詰り等で可動案内片の摺動不良、作動不良が生じ易い等の問題もあった。
【先行技術文献】
【特許文献】
【０００７】
【特許文献１】特開２００２−１０３４７９号公報
【特許文献２】特許第４２６２９５１号公報
【考案の概要】
【考案が解決しようとする課題】
【０００８】
本考案の課題は、従来技術の前記問題点に鑑み、前記下型に、その案内面に沿って落下する製品をさらに下方の製品受け台の積載位置まで案内するための垂下自在な可動案内片を備えた補助案内部材を付設したブランク型において、前記下型の案内面側の空間が狭い場合でも、補助案内部材の取付け作業や補助案内部材の破損時等における別の補助案内部材との交換作業等を容易に行うことを可能にするブランク型及びそれに用いる補助案内部材を提供することにある。
【０００９】
また、本考案の別の課題は、前記垂下自在な可動案内片を備えた補助案内部材を付設したブランク型において、前記補助案内部材が前記可動案内片の摺動不良、作動不良を生じ難いブランク型及びそれに用いる補助案内部材を提供することにある。
【課題を解決するための手段】
【００１０】
本考案に係るブランク型は、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型であって、前記下型に、その案内面に沿って落下する製品をさらに下方の製品受け台の積載位置まで案内するための補助案内部材を付設したブランク型において、
前記補助案内部材が、前記下型に穿設された取付け溝内に該下型の少なくとも下面側から着脱可能に嵌合され、且つ該下面側から止め具で固定されると共に、表面が前記下型の案内面と同一面又は該案内面より内側に配置され、且つ上下方向に案内溝を備えた固定片と、前記固定片の案内溝及び前記下型に前記案内溝に連通して穿設された案内凹部に、上下方向に所定範囲内で摺動自在に、且つ自重で前記下型の下面から垂下自在に嵌合されると共に、表面が前記下型の案内面と同一面に配置された可動案内片とからなることを特徴としている。
【００１１】
また、本考案に係る補助案内部材は、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の下型に、その案内面に沿って落下する製品をさらに下方の製品受け台の積載位置まで案内するために付設する補助案内部材において、
前記下型に穿設された取付け溝内に該下型の少なくとも下面側から着脱可能に嵌合され、且つ該下面側から止め具で固定されると共に、表面が前記下型の案内面と同一面又は該案内面より内側に配置され、且つ上下方向に案内溝を備えた固定片と、前記固定片の案内溝及び前記下型に前記案内溝に連通して穿設された案内凹部に、上下方向に所定範囲内で摺動自在に、且つ自重で前記下型の下面から垂下自在に嵌合されると共に、表面が前記下型の案内面と同一面に配置された可動案内片とからなることを特徴としている。
【００１２】
前記構成において、原料シートは、上流側に配置された抜き型により、製品と屑部が微小部分で接続された状態に打ち抜かれ、得られた型抜きシートは、下流側に配置されたブランク型における上型と下型との間の所定位置に搬送される。前記ブランク型における前記上型と下型の接離動作により、前記型抜きシートにおける製品が屑部を前記下型の上面に残留固定させた状態で切断分離されるように打ち抜かれる。前記のように型抜きシートから打ち抜かれた製品は、前記下型の案内面に沿って略水平姿勢で落下し、前記下型下方に昇降可能に配置された製品受け台の積載位置上に順次積載され、前記製品受け台は、それへの製品の落下、積載に応じて、従って前記上型と下型の接離動作に連動して、一定の積載量に達するまで漸次降下させられる。
【００１３】
前記下型には補助案内部材が付設されているので、前記下型の案内面及び補助案内部材の少なくとも可動案内片に沿って略水平姿勢で落下する製品は、該補助案内部材の少なくとも可動案内片の垂下部分に沿って略水平姿勢を保持しつつさらに落下し、製品受け台の積載位置上へと正確に案内される。前記において、固定片の表面が、前記可動案内片の表面と同様に前記下型の案内面と同一面に配置されている場合は、前記固定片もまた前記製品の落下に際して該製品の案内に寄与することになる。
前記下型への前記補助案内部材の装着に際しては、前記固定片が、前記下型に穿設された取付け溝内に該下型の少なくとも下面側から着脱可能に嵌合され、且つ該下面側からネジ等の止め具で固定され、前記可動案内片は、前記固定片の案内溝及び前記下型に前記案内溝に連通して穿設された案内凹部に、上下方向に所定範囲内で摺動自在に、且つ自重で前記下型の下面から垂下自在に嵌合されることになる。
【００１４】
なお、前記下型と製品受け台の距離は、前記上型と下型の接離動作やそれに連動した製品受け台の降下運動等により変動するが、前記可動案内片の下端が製品受け台に当接している状態では、該可動案内片は前記下型の下面から自重で垂下しつつ、前記下型と製品受け台の距離に応じて自在に収縮し、また前記可動案内片の下端が製品受け台に当接していない状態では、該可動案内片は前記下型の下面から自重で最長の長さに垂下し、何れの場合も、前記下型と製品受け台の接離運動に干渉することなしに、製品に対して所要長さの案内面を与えることができる。
【００１５】
前記補助案内部材における前記固定片及び可動案内片の長さ、幅、厚み等の寸法、前記可動案内片の最長垂下長さ、並びに前記可動案内片を案内する前記固定片の案内溝及び前記下型の取付け溝の案内長さ等は、前記ブランク型の作動条件等に応じて適宜選択される。
【考案の効果】
【００１６】
請求項１に係る考案によれば、下型に、その案内面に沿って落下する製品をさらに下方の製品受け台の積載位置まで案内するための垂下自在な可動案内片を備えた補助案内部材を付設したブランク型において、前記補助案内部材の固定片が、前記下型に穿設された取付け溝内に該下型の少なくとも下面側から着脱可能に嵌合され、且つ該下面側からネジ等の止め具で固定されるので、前記下型の案内面側の空間が狭い場合でも、前記下型の下面側から、補助案内部材の取付け作業や補助案内部材の破損時等における別の補助案内部材との交換作業等を容易に行うことが可能である。
【００１７】
また、請求項１に係る考案によれば、前記ブランク型において、前記可動案内片が、前記固定片の案内溝のみならず前記下型の取付け溝にも摺動自在に嵌合されるので、前記固定片の案内溝、従って前記可動案内片と前記固定片との摺接部分を適宜短縮することが可能であり、それによって該摺接部分の僅かの変形や摺接部分への異物の詰り等に起因する可動案内片の摺動不良、作動不良を抑制することが可能である。
【００１８】
また、請求項２に係る考案によれば、ブランク型の下型に付設することにより、請求項１に係る考案の前記作用効果を奏する補助案内部材を提供することができる。
【図面の簡単な説明】
【００１９】
【図１】図１は、本考案に係るブランク型の一実施形態の縦断面図であり、付設された補助案内部材における可動案内片が下型の下面から若干突出した状態で垂下している。
【図２】図２は、図１に示すものと同様の、本考案に係るブランク型の一実施形態の縦断面図であり、付設された補助案内部材における可動案内片が下型の下面から最大長さに突出した状態で垂下している。
【図３】図３（Ａ）〜（Ｃ）は、図１及び図２に示すブランク型に付設された補助案内部材における可動案内片の作動状態の変化を示し、同図（Ａ）は、可動案内片が下型の下面から突出していない状態にある補助案内部材の断面図、正面図及び底面図であり、同図（Ｂ）は、可動案内片が下型の下面から若干突出した状態で垂下した補助案内部材の断面図及び正面図であり、同図（Ｃ）は、可動案内片が下型の下面から最大長さに突出した状態で垂下した補助案内部材の断面図及び正面図である。
【考案を実施するための形態】
【００２０】
次に、本考案に係るブランク型の実施形態を図面に基づいて具体的に説明する。図１は、本考案に係るブランク型の一実施形態の縦断面図であり、付設された補助案内部材における可動案内片が下型の下面から若干突出した状態で垂下している。図２は、図１に示すものと同様の、本考案に係るブランク型の一実施形態の縦断面図であり、付設された補助案内部材における可動案内片が下型の下面から最大長さに突出した状態で垂下している。図３（Ａ）〜（Ｃ）は、図１及び図２に示すブランク型に付設された補助案内部材における可動案内片の作動状態の変化を示し、同図（Ａ）は、可動案内片が下型の下面から突出していない状態にある補助案内部材の断面図、正面図及び底面図であり、同図（Ｂ）は、可動案内片が下型の下面から若干突出した状態で垂下した補助案内部材の断面図及び正面図であり、同図（Ｃ）は、可動案内片が下型の下面から最大長さに突出した状態で垂下した補助案内部材の断面図及び正面図である。
【００２１】
図１及び図２において、抜き型（図示省略）の下流側にブランク型ＢＬが配置され、該ブランク型ＢＬは、上型１１と、該上型１１と対向して昇降可能に配置された下型２１とからなり、下型２１下方には製品受け台３１が昇降可能に配置されている。原料シート（図示省略）は、上流側に配置された抜き型により、製品４２と屑部４３が微小部分で接続された状態に打ち抜かれ、得られた型抜きシート４１は、下流側に配置されたブランク型ＢＬの下型２１上に順次間欠的に搬送され、上型１１と下型２１の接離動作により、製品４２が屑部４３から切断分離されるように打ち抜かれ、打ち抜かれた製品４２は、下型２１の案内面２２に沿って略水平姿勢で落下させられると共に製品受け台３１上に順次積載される。
【００２２】
前記ブランク型ＢＬの上型１１の構成において、基板１２に、空気抜き孔１４を備えた押抜き部材１３が、型抜きシート４１における製品４２の打ち抜き位置及び輪郭に対応して垂設されると共に、押さえ部材１５が、型抜きシート４１における屑部４３の押え位置及び輪郭に対応して、スプリング１６を介して上下に伸縮可能に垂設されている。
【００２３】
前記ブランク型ＢＬの下型２１の構成において、型板２３に、開口部２４が、上型１１の押抜き部材１３と対向して、打ち抜き後に落下する製品４２を略水平姿勢で通過させ得るように穿設され、開口部２４内周の案内面２２に、補助案内部材５１が、落下する製品４２を略水平姿勢で製品受け台３１の積載位置まで案内可能に付設されている。
【００２４】
前記補助案内部材５１は、プラスチック製の矩形固定片５２及びそれより上下方向に長い可動案内片５６から構成されている。前記固定片５２は、図３（Ａ）の底面図に示すように上下方向に凸形断面の案内溝５３を備え、前記下型２１に穿設された取付け溝２５内に下型２１の案内面２２側及び下面２６側から着脱可能に嵌合され、且つ該下型２１の下面２６側からネジからなる止め具２７で締め付け固定され、その場合、固定片５２の表面は前記下型２１の案内面２２と同一面又は該案内面２２より内側に配置されている。また、前記可動案内片５６は、上方の頂端部５７を除いて、図３（Ａ）の底面図に示すように前記固定片５２の案内溝５３と相補的な凸形断面を有し、前記固定片５２の案内溝５３及び前記下型２１の案内面２２に前記案内溝５３に連通して穿設された案内凹部２８に、上下方向に所定範囲内で摺動自在に、且つ自重で前記下型２１の下面２６から垂下自在に嵌合され、その場合、可動案内片５６の表面は前記下型２１の案内面２２と同一面に配置されている。
【００２５】
ブランク型ＢＬの下型２１に付設された前記補助案内部材５１において、前記可動案内片５６の頂端部５７の上面が前記案内凹部２８の天井面に当接しているとき、該可動案内片５６は図３（Ａ）に示すように最上位にあって、下型の下面から突出していない状態にあり、また前記可動案内片５６の頂端部５７が前記案内凹部２８の天井面と前記固定片５２の上面との間にあるとき、該前記可動案内片５６は図１及び図３（Ｂ）に示すように中間の位置にあって、下型の下面から若干突出した状態で垂下し、さらに前記可動案内片５６の頂端部５７の下面が前記固定片５２の上面に当接しているときには、該可動案内片５６は図２及び図３（Ｃ）に示すように最下位にあって、下型の下面から最大長さに突出した状態で垂下している。
【符号の説明】
【００２６】
ＢＬ  ブランク型
１１  上型
１２  基板
１３  押抜き部材
１４  空気抜き孔
１５  押さえ部材
１６  スプリング
２１  下型
２２  案内面
２３  型板
２４  開口部
２５  取付け溝
２６  下面
２７  止め具（ネジ）
２８  案内凹部
３１  製品受け台
４１  型抜きシート
４２  製品
４３  屑部
５１  補助案内部材
５２  固定片
５３  案内溝
５６  可動案内片
５７  頂端部
【図１】
0003163397.tif 000003
【図２】
0003163397.tif 000004
【図３】
0003163397.tif 000005